【手続補正書】
【提出日】平成17年2月3日(2005.2.3)
【手続補正１】
【補正対象書類名】特許請求の範囲
【補正対象項目名】全文
【補正方法】変更
【補正の内容】
【特許請求の範囲】
【請求項１】
表面を貫通して流体を注射するのに適切な無針注射器であって、
流体を内蔵し、少なくとも１つの開口をさらに含むハウジングと、
前記ハウジングに固着され、内部に配置した少なくとも１つの溝を有する噴散器と、
前記ハウジング内部に取り付けられ、さらにガスを内蔵するエンジンと、
前記ハウジングから前記流体を押し出し、前記ハウジング内部に滑動可能に配置されている駆動体と、
前記ハウジングに結合されたトリガと、
前記エンジンに固着した弁と、を備え、
前記トリガを押下すると、前記弁を開放させ、さらに、前記弁が反復開放に耐えることができる無針注射器。
【請求項２】
前記弁が、
円形のリッジを有する弁棒と、
前記弁棒と前記円形のリッジに固着した弁頭と、
前記エンジンに固着した弁棒案内と、
前記円形リッジに押し当たる第１端と前記弁棒案内に押し当たる第２端を有するばねと、を備える、請求項１に記載の無針注射器。
【請求項３】
前記駆動体が、
ピストンと、
プランジャと、を備える、請求項１に記載の無針注射器。
【請求項４】
前記プランジャが対称であり、さらに、前記プランジャが前記ハウジングと実質的に気密シールを形成する、請求項３に記載の無針注射器。
【請求項５】
前記プランジャが、
円錐形の前端と、
円錐形の後端と、
円筒形の本体と、を備える、請求項３に記載の無針注射器。
【請求項６】
前記プランジャが、前記円筒形の本体を取り巻く少なくとも１つのリッジをさらに備える、請求項５に記載の無針注射器。
【請求項７】
前記ピストンが拡大カップを備える、請求項３に記載の無針注射器。
【請求項８】
前記ハウジングに着脱可能に取り付けたアンプルキャップをさらに備え、
前記アンプルキャップが、前記ハウジングの前記開口上に気密シールを形成する、請求項１に記載の無針注射器。
【請求項９】
前記ハウジングが排気通路をさらに備える、請求項１に記載の無針注射器。
【請求項１０】
前記トリガが滑らない表面を有する端部をさらに備える、請求項１に記載の無針注射器。
【請求項１１】
前記トリガが少なくとも１つの保持器フック機構を備え、
前記ハウジングが少なくとも１つのラッチ保持器機構をさらに備える、請求項１に記載の無針注射器。
【請求項１２】
前記噴散器が固定リングをさらに備え、
前記エンジンが少なくとも１つの把持部をさらに備える、請求項１に記載の無針注射器。
【請求項１３】
前記ハウジングに着脱可能に取り付けた安全クランプをさらに備え、
前記安全クランプが、前記ハウジングに対して前記トリガが前記少なくとも１つの開口の軸線方向に移動するのを防止する、請求項１に記載の無針注射器。
【請求項１４】
前記ハウジングが少なくとも１つの指受けをさらに備える、請求項１に記載の無針注射器。
【請求項１５】
前記ハウジングが、相互に対向して配置された２つの指受けをさらに備え、
前記指受けが、滑らない表面をさらに備える、請求項１に記載の無針注射器。
【請求項１６】
表面を貫通して流体を注射するのに適切な無針注射器であって、
流体を内蔵し、少なくとも１つの開口をさらに含むハウジングと、
前記ハウジングに固着され、内部に配置した少なくとも１つの溝を有する噴散器と、
前記ハウジング内部に取り付けられ、ガスをさらに内蔵するエンジンと、
前記ハウジングから前記流体を押し出し、前記ハウジング内部に滑動可能に配置されている駆動体と、
前記ハウジングに結合されたトリガと、
前記エンジン上に配置され、無針注射器の要素と錠止し合うように構成された、少なくとも１つの把持部と、を備える無針注射器。
【請求項１７】
前記エンジンがさらに弁を含む、請求項１６に記載の無針注射器。
【請求項１８】
前記弁が、
円形のリッジを有する弁棒と、
前記弁棒と前記円形のリッジに固着した弁頭と、
前記エンジンに固着した弁棒案内ペインと、
前記円形リッジに押し当たる第１端と前記弁棒案内ペインに押し当たる第２端を有するばねと、を備える、請求項１に記載の無針注射器。
【請求項１９】
前記弁が、前記トリガを押下するときに開く、請求項１８に記載の無針注射器。
【請求項２０】
前記駆動体が、
ピストンと、
プランジャと、を備える、請求項１６に記載の無針注射器。
【請求項２１】
前記プランジャが対称であり、さらに、前記プランジャが前記ハウジングと実質的に気密シールを形成する、請求項２０に記載の無針注射器。
【請求項２２】
前記プランジャが、
円錐形の前端と、
円錐形の後端と、
円筒形の本体と、を備える、請求項２０に記載の無針注射器。
【請求項２３】
前記プランジャが、前記円筒形の本体を取り巻く少なくとも１つのリッジをさらに備える、請求項２２に記載の無針注射器。
【請求項２４】
前記ピストンが拡大カップを備える、請求項２０に記載の無針注射器。
【請求項２５】
前記ハウジングに着脱可能に取り付けたアンプルキャップをさらに備え、
前記アンプルキャップが、前記ハウジングの前記開口上に気密シールを形成する、請求項１６に記載の無針注射器。
【請求項２６】
前記ハウジングが排気通路をさらに備える、請求項１６に記載の無針注射器。
【請求項２７】
前記トリガが滑らない表面を有する端部をさらに備える、請求項１６に記載の無針注射器。
【請求項２８】
前記トリガが少なくとも１つの保持器フック機構をさらに備え、
前記ハウジングが少なくとも１つのラッチ保持器機構をさらに備える、請求項１６に記載の無針注射器。
【請求項２９】
前記噴散器が固定リングをさらに備え、
前記無針注射器が前記固定リング周りに固定する少なくとも２つの把持部を備え、
前記固定リングは前記把持部が固定するように構成される前記無針注射器の要素である、請求項１６に記載の無針注射器。
【請求項３０】
前記ハウジングに着脱可能に取り付けた安全クランプをさらに備え、
前記安全クランプが、前記ハウジングに対して前記トリガが前記少なくとも１つの開口の軸線方向に移動するのを防止する、請求項１６に記載の無針注射器。
【請求項３１】
前記ハウジングが少なくとも１つの指受けをさらに備える、請求項１６に記載の無針注射器。
【請求項３２】
前記ハウジングが、相互に対向して配置された２つの指受けをさらに備え、
前記指受けが、滑らない表面をさらに備える、請求項１６に記載の無針注射器。
【請求項３３】
表面を貫通して流体を注射するのに適切な無針注射器であって、
流体を内蔵し、少なくとも１つの開口をさらに含むハウジングと、
前記ハウジング内部に取り付けられ、ガス及び弁を内蔵するエンジンであって、
前記弁が円形のリッジを有する弁棒と、
前記弁棒と前記円形のリッジに固着した弁頭と、を含む前記エンジンと、
前記ハウジングから前記流体を押し出し、前記ハウジング内部に滑動可能に配置されている駆動体と、
前記ハウジングに固着され、固定リングを有し、かつ前記エンジンが前記固定リング周りに固定する少なくとも１つの把持部をさらに含む噴散器と、を備える無針注射器。
【請求項３４】
前記ハウジングの外面上に配置した少なくとも１つのラッチ保持器機構と、
前記ハウジングに結合されたトリガと、
前記トリガ上に配置され、前記ラッチ保持器機構と連係するように位置合わせされており、前記弁は前記トリガを押下すると前記弁が開くようになっている、少なくとも１つの保持器フック機構と、をさらに備える、請求項３３に記載の無針注射器。
【請求項３５】
前記エンジンに固着した弁棒案内ペインと、
前記円形リッジに押し当たる第１端と前記弁棒案内ペインに押し当たる第２端を有するばねと、を備える、請求項３３に記載の無針注射器。
【請求項３６】
前記ハウジングに着脱可能に取り付けた安全クランプをさらに含み、
前記安全クランプが、前記ハウジングに対して前記トリガが前記少なくとも１つの開口の軸線方向に移動するのを防止する、請求項３３に記載の無針注射器。
【請求項３７】
前記ハウジングが少なくとも１つの指受けをさらに備える、請求項３３に記載の無針注射器。
【請求項３８】
表面を貫通して流体を注射するのに適切な無針注射器であって、
流体を内蔵し、少なくとも１つの開口をさらに含むハウジングと、
前記ハウジングに固着され、内部に配置した少なくとも１つの溝を有する噴散器と、
前記ハウジング内部に取り付けられ、ガスをさらに内蔵するエンジンと、
前記ハウジングから前記流体を押し出し、前記ハウジング内部に滑動可能に配置されている駆動体であって、
ピストンと、
プランジャと、を含み、
前記プランジャが、
円錐形の前端と、
円錐形の後端と、
円筒形の本体と、を具備する前記駆動体と、を備える無針注射器。
【請求項３９】
前記プランジャが中央軸線に直角な平面に沿って対称であり、さらに、前記プランジャが前記ハウジングと実質的に気密シールを形成する、請求項３３に記載の無針注射器。
【請求項４０】
前記プランジャが、前記円筒形の本体を取り巻く少なくとも１つのリッジをさらに備える、請求項３８に記載の無針注射器。
【請求項４１】
前記ピストンが拡大カップを含む、請求項３８に記載の無針注射器。
【請求項４２】
前記ハウジングの外面上に配置した少なくとも１つのラッチ保持器機構と、
前記ハウジングに結合されたトリガと、
前記トリガ上に配置され、前記ラッチ保持器機構と連係するように位置合わせされている少なくとも１つのラッチ保持器機構と、をさらに含む請求項３８に記載の無針注射器。
【請求項４３】
前記ハウジングが、少なくとも１つの指受けを含む、請求項３８に記載の無針注射器。
【請求項４４】
表面を貫通して流体を注射するのに適切な無針注射器であって、
流体を内蔵し、少なくとも１つの開口をさらに含むハウジングと、
前記ハウジング内部に取り付けられ、ガスを内蔵するエンジンと、
前記ハウジングから前記流体を押し出し、前記ハウジング内部に滑動可能に配置されている駆動体であって、
ピストンと、
プランジャと、を含み、
前記プランジャが拡大カップを具備する、前記駆動体と、を備える無針注射器。
【請求項４５】
前記プランジャが中央軸線に直角な平面に沿って対称であり、さらに、前記プランジャが前記ハウジングとシールを形成する、請求項４４に記載の無針注射器。
【請求項４６】
前記プランジャが、前記円筒形の本体を取り巻く少なくとも１つのリッジを含む、請求項４４に記載の無針注射器。
【請求項４７】
前記ハウジングの外面上に配置した少なくとも１つのラッチ保持器機構と、
前記ハウジングに結合されたトリガと、
前記トリガ上に配置され、前記ラッチ保持器機構と連係するように位置合わせされ、前記弁が前記トリガを押下すると開くようになっている、少なくとも１つの保持器フック機構と、をさらに含む、請求項４４に記載の無針注射器。
【請求項４８】
前記ハウジングが、少なくとも１つの指受けを含む、請求項４４に記載の無針注射器。